【事件の表示】
　特許第３３１５３６４号「針糸通し器」の請求項１に係る特許に対する特許異議の申立てについて、次のとおり決定する。
【結　論】
　訂正を認める。
　特許第３３１５３６４号の請求項１に係る特許を維持する。
【理　由】
【１】手続の経緯
　本件特許第３３１５３６４号（以下、「本件特許」という。）は、平成１０年３月３１日に出願した特願平１０−１０１８６６号に係り、平成１４年６月７日に設定登録（請求項の数１）されたものであるが、本件特許に対して、クロバ−株式会社より特許異議の申立てがあったので、当審において、当該申立ての理由を検討の上、当審より平成１５年５月１５日付けで特許取消理由を通知したところ、その通知書で指定した期間内の平成１５年７月２８日に、特許異議意見書と共に訂正請求書が提出された後、平成１５年９月１６日に再度特許取消理由が通知され、その指定期間内である平成１５年１１月２５日に前回の訂正請求を取り下げるとともに、再度特許異議意見書と共に訂正請求書が提出されたものである。
　
【２】訂正の適否の判断
１．訂正の内容
　別紙「訂正の内容」参照。
　
２．訂正の適否
（１）訂正事項ａについて
　上記訂正事項ａは、訂正前の【請求項１】に係る発明を特定する、ア）「この糸通し穴の入口近傍に糸載置部を設けると共に、本体に設けた押圧部材の押圧力で本体内に設けた作動部材を介して作動部材に設けた糸係止片を前記糸通し穴に挿脱自在に設けた針糸通し器において、前記針挿入筒の糸載置部側の縦方向に沿って針挿入穴の開口部上端から糸通し穴の入口まで開口したスリットを形成すると共に」を「この糸通し穴の入口近傍に糸載置部を設け、本体に設けた押圧部材の押圧力で本体内に設けた作動部材を介して糸係止片の先端部分である糸通し部を前記糸通し穴に挿脱自在に設けた糸通し器において、前記針挿入筒の糸載置部側には、針挿入筒の縦方向に沿って針挿入穴の開口上端から糸通し穴の入口まで開口させ、かつ、開口端部側を広く形成したスリットを設け」に限定し、イ）「糸通し穴」の径を「前記糸通し穴の径は、挿入した針の針穴より出口側の径を糸通し穴の入口側の径より小さく形成して、糸通し穴の出口側に挿入されている糸を抜け出にくくして、針挿入穴から針を抜き出す間に、挿入されている糸が針穴から抜け出ないようにし」に限定し、ウ）「前記針挿入穴を断面円形状に形成し、このうち針挿入穴の底部分は、糸通し穴を交差する方向に向けた扁平形状の針挿入穴とし、この扁平形状の部位と前記断面円形状の接続部分をテーパ部で接続した」を「前記針挿入穴を断面円形状に形成し、このうち断面円形状の針挿入穴の底部分は、糸通し穴と交差する方向に向け、かつ、針の扁平状の針穴部分が進入する扁平形状部位とし、この扁形状部位の長さ方向は断面円形状の針挿入穴の径であると共に、前記針扁平形状部位の巾方向上端と前記断面円形状下端の接続部分とを前記針挿入穴の途中に形成したテ−パ部で接続した」に限定するものであり、それぞれ特許請求の範囲の減縮を目的とするものである。
　また、この訂正事項ａのア）の「この糸通し穴の入口近傍に糸載置部を設け、本体に設けた押圧部材の押圧力で本体内に設けた作動部材を介して糸係止片の先端部分である糸通し部を前記糸通し穴に挿脱自在に設けた糸通し器において、前記針挿入筒の糸載置部側には、針挿入筒の縦方向に沿って針挿入穴の開口上端から糸通し穴の入口まで開口させ、かつ、開口端部側を広く形成したスリットを設け」については特許明細書の段落番号【００１３】及び図面の図７の記載に基づくものであり、イ）の「前記糸通し穴の径は、挿入した針の針穴より出口側の径を糸通し穴の入口側の径より小さく形成して、糸通し穴の出口側に挿入されている糸を抜け出にくくして、針挿入穴から針を抜き出す間に、挿入されている糸が針穴から抜け出ないようにし」については特許明細書の段落番号【００１３】、【００２５】、【００２６】及び【００２７】の記載に基づくものであり、ウ）の「前記針挿入穴を断面円形状に形成し、このうち断面円形状の針挿入穴の底部分は、糸通し穴と交差する方向に向け、かつ、針の扁平状の針穴部分が進入する扁平形状部位とし、この扁形状部位の長さ方向は断面円形状の針挿入穴の径であると共に、前記針扁平形状部位の巾方向上端と前記断面円形状下端の接続部分とを前記針挿入穴の途中に形成したテ−パ部で接続した」については特許明細書の段落番号【００１２】、【００２２】及び【００３３】及び図面の図５〜７の記載に基づくものであり、それぞれ特許明細書又は図面に記載した事項の範囲内の訂正であって、実質上特許請求の範囲を拡張し又は変更するものでもない。
（２）訂正事項ｂについて
　訂正事項ｂは、訂正事項ａの【請求項１】の訂正によって生じる齟齬を解消しようとするものであり、明りょうでない記載の釈明を目的とするものいえ、特許明細書又は図面に記載した事項の範囲内の訂正であり、実質上特許請求の範囲を拡張し又は変更するものでもない。
（３）訂正事項ｃについて
　訂正事項ｃの「更には、針を針挿入穴から抜くと、糸通し穴の出口側に針穴を通過した糸が挟まっているため、針穴を通過していない糸が、針の上昇に伴って針穴に引き込まれながら、針挿入筒のスリットに沿って上方に移動し、針穴を通過する糸の長さが針を持ち上げるにしたがって長くなり、針を針挿入穴ら抜き出す前に針穴を通過した糸が針穴から抜け落ちることはないため、針糸通し器の押圧部材の押圧力と糸を通した針の引き出し操作のみで、糸が針穴から抜け落ちるおそれがなく確実に糸を針穴に通すことが可能となる針糸通し器を提供することができる等の顕著な効果を奏する。」ついては特許明細書の段落番号【００２５】、【００２６】及び【００２７】の記載に基づくものであり、訂正事項ａの【請求項１】の訂正によって生じる齟齬を解消しようとするものであり、明りょうでない記載の釈明を目的とするものいえ、特許明細書又は図面に記載した事項の範囲内の訂正であり、実質上特許請求の範囲を拡張し又は変更するものでもない。
　
　以上のとおりであるから、上記の訂正は、特許法第１２０条の４第２項及び同条第３項において準用する特許法第１２６条第２、３項の規定に適合するので、当該訂正は認める。
　
【３】本件特許発明
　上記のとおり、平成１５年１１月２５日付けの訂正請求は認容されるので、本件特許の請求項１に係る発明は、平成１５年１１月２５日付けの訂正請求書に添付された全文訂正明細書の特許請求の範囲の請求項１に記載された次のとおりのものといえる。
　「【請求項１】　台座面を有する本体に有底の針挿入穴を持つ針挿入筒を立設し、この針挿入筒の下部には、挿入した針の針穴を連通する糸通し穴を前記針挿入穴と交差する方向に形成し、この糸通し穴の入口近傍に糸載置部を設け、本体に設けた押圧部材の押圧力で本体内に設けた作動部材を介して糸係止片の先端部分である糸通し部を前記糸通し穴に挿脱自在に設けた糸通し器において、前記針挿入筒の糸載置部側には、針挿入筒の縦方向に沿って針挿入穴の開口上端から糸通し穴の入口まで開口させ、かつ、開口端部側を広く形成したスリットを設け、前記糸通し穴の径は、挿入した針の針穴より出口側の径を糸通し穴の入口側の径より小さく形成して、糸通し穴の出口側に挿入されている糸を抜け出にくくして、針挿入穴から針を抜き出す間に、挿入されている糸が針穴から抜け出ないようにし、更には、前記針挿入穴を断面円形状に形成し、このうち断面円形状の針挿入穴の底部分は、糸通し穴と交差する方向に向け、かつ、針の扁平状の針穴部分が進入する扁平形状部位とし、この扁形状部位の長さ方向は断面円形状の針挿入穴の径であると共に、前記針扁平形状部位の巾方向上端と前記断面円形状下端の接続部分とを前記針挿入穴の途中に形成したテ−パ部で接続したことを特徴とする針糸通し器。」
　
【４】当審で平成１５年９月１６日付けで通知した取消理由について
１．特許法第２９条第２項違反について
（１）当審で平成１５年９月１６日付けで通知した取消理由に引用された各刊行物に記載された事項
　前記取消理由で引用した刊行物１（特開平１０−４３４５８号公報：異議申立人が提出した甲第１号証）には、糸通し装置について図１〜５と共に、以下の事項が記載されている。
　ア）「図１〜図４においてＡは縫針糸通し装置で、框体１と、一対のガイド部材２，２と、横孔３と、糸ｂの支持部４と、一対の移動体５，５と、操作手段６と、弾機７とにより基本的に構成される。」（公報段落番号【００１３】）
　イ）「前記した一対のガイド部材２，２は、框体１の両側に立設させてあって、その入口を漏斗状に形成した案内孔を有するキャップ９が嵌着され、異なる二種類の縫針ｃ、例えば、線径が大径（糸通し孔ｃ１が大径）の木綿針や、線径が小径の絹針（糸通し孔ｃ１が小径）がそれぞれ区別されて挿入される縦孔１０が設けられ、これら縫針ｃはその糸通し孔ｃ１が下側で縦向きに支承される。」（公報段落番号【００１５】）
　ウ）「前記した横孔３は、一対のガイド部材２，２における縦孔１０の底部に、この縦孔１０と直交する方向に設けて、縦孔１０に挿入された縫針ｃの糸通し孔ｃ１と一致させてあるものであって、後記する糸通し部材が貫通する内径に形成してある。」（公報段落番号【００１６】）
　エ）「前記した糸ｂの支持部４は、ガイド部材２の横孔３の近傍においてその内側に設けてあって、糸ｂが横向きに支承される。」（公報段落番号【００１７】）
　オ）「この腕体１５には、框体１内に設けて一対の移動体５，５に対応させて、該一対の移動体５，５の傾斜受面１６に当接して、この傾斜受面１６を押しつつ滑動する傾斜押圧体１７，１７とを有する。」（段落番号【００２２】）
　また、刊行物２（米国特許第２３３８１５９号明細書：異議申立人が提出した甲第２号証）には、針の糸通し器についてＦｉｇ．１〜４と共に、以下の事項が記載されている。
　カ）「本発明は、針の糸通し器に関し、特に、様々なサイズの針に糸を通すように構成された糸通し器に関する。」（第１頁左欄第１〜３行：翻訳は異議申立人提出の甲第２号証翻訳文による。）
　キ）「針が正しい位置に保持されるように、ハウジング部分１１、１２に溝３３、３４を備え、これら溝を結合して、針の挿入部としての円筒状のポケットすなわち穴３５を構成している。針挿入穴は、図に示すケーシング１０の上端からキャビティ１３の下端まで伸びており、そのため、図３に示すように、糸通しエレメントが破線の位置に移動するときにフック２８が通過する円周の正常な位置に針穴２９があることになる。針挿入穴３５の下端は、針が正しい位置に落下し、図に示した姿勢になるように、形成されており、必要がある場合には針は回転し、針穴がフック２８を受け入れられる姿勢になる。すなわち、針挿入穴の下端部は、側面視で、図１に符号３６で示すように、縦断面が尖鋭状であり、ハウジングの端面から見ると図２に符号３７で示すように、縦断面が截頭状である。中間の水平断面は、それ故、楕円すなわち長円形である。」（第１頁右欄第２５〜４６行：翻訳は当審による。）
　ク）「針挿入穴３５を越えたハウジング部分、すなわち、リベット２５および糸通しキャビティ１３から見た針挿入穴の反対側の部分は、糸リリ−ス用スロット３８を構成すべく離間している。当該スロット近辺の構成は、図１および図３の左側に示すとおりである。具体的には、糸４１を受容するためのノッチ３９が設けられている。このノッチの形状は、上述した糸リリ−ス用離間部分を超えて延びる下側突起４３によって規定されている。」（第１頁右欄第４７行〜第２頁左欄第２行：翻訳は異議申立人提出の甲第２号証翻訳文による。）
　ケ）「糸通し１４が針３１の穴２９を通って突き出る時にフック部分２８を受け入れるため、糸通しキャビティ１３は、符号４４で示すように、突起部４３まで延長されている。この構造は、確実に糸通しフック２８を常時ハウジングに収容するようにし、これにより、使用時における偶発的な損傷を防止するよう機能する。」（第２頁左欄第３〜１０行：翻訳は当審による。）
　コ）「糸通し器は、以下のようにして使用することができる。まず、針挿入穴３５が鉛直あるいはほぼ鉛直となるように、糸通し器を片方の手の親指と薬指との間で保持し、人差し指をア−ム部３２にかける。このとき糸通しエレメント１４が図３の実線で示す位置にない場合には、人差し指を前方すなわち針挿入穴の方向に動かすことにより、ア−ム部２６およびフック部２８を当該位置に移動させる。その後、針穴が下になるようにして針３１を針挿入穴３５に落とし込む。針穴底部３６−３７が所定の形状を有していること、および、その深さがフック部２８の移動経路上に針穴が来るように調整されていることにより、落とし込まれた針は、図に示した姿勢をとって静止する。次に、ア−ム部３２を人差し指で動かして針挿入穴から離間させる。これにより、フック部２８は、針３１の穴２９を通り、さらに図３の波線で示す位置にまで移動する。ここで、糸−断面の様子が示されており且つ符号４１が付されている−を水平に張ったまま糸載置溝すなわちノッチ３９の底部まで下ろす。糸は、フック部２８が図３に示す実線位置に戻る際に引っ掛けられて、穴２９を通り、ル−プ状となる。針は、針穴に糸が二重に通された状態のままで、針挿入穴から引き抜かれる。この際に、糸がフック部２８から確実に外れるようにするために、フック部を針挿入穴に向けて少しだけ移動させる。その後、糸は上記リリ−ス用スロットを通過し、針は、針挿入穴から容易に引き抜くことができる。」（第２頁左欄第２４〜５８行）
（２）対比・判断
　上記刊行物１、２には「針挿入穴に挿入した針の針穴を連通する糸通し穴を前記針挿入穴と交差する方向に形成し、糸通し部を前記糸通し穴に挿脱自在に設けた針糸通し器」に関する技術の開示はあるものの、糸通し穴の入口側の径と出口側の径の関係については何ら言及されておらず、請求項１に係る発明における「前記糸通し穴の径は、挿入した針の針穴より出口側の径を糸通し穴の入口側の径より小さく形成して、糸通し穴の出口側に挿入されている糸を抜け出にくくして、針挿入穴から針を抜き出す間に、挿入されている糸が針穴から抜け出ないようにし」の事項に関して、記載も示唆もされていない。また、上記事項が周知技術であるとも認められない。
　そして、上記事項を具備する請求項１に係る発明は、「針を針挿入穴から抜くと、糸通し穴の出口側に針穴を通過した糸が挟まっているため、針穴を通過していない糸が、針の上昇に伴って針穴に引き込まれながら、針挿入筒のスリットに沿って上方に移動し、針穴を通過する糸の長さが針を持ち上げるにしたがって長くなり、針を針挿入穴から抜き出す前に針穴を通過した糸が針穴から抜け落ちることはないため、針糸通し器の押圧部材の押圧力と糸を通した針の引き出し操作のみで、糸が針穴から抜け落ちるおそれがなく確実に糸を針穴に通すことが可能となる針糸通し器を提供することができる等の顕著な効果を奏する。」というような刊行物１、２に記載された発明からは予測し得ない効果を有するものである。
　したがって、請求項１に係る発明は、刊行物１、２に記載された発明に基づいて、当業者が容易に発明をすることができたものとすることはできない。
　
２．特許法第３６条第４項及び第６項違反について
　【請求項１】及び明細書の段落番号【０００６】の記載の一部を「前記糸通し穴の径は、挿入した針の針穴より出口側の径を糸通し穴の入口側の径より小さく形成して、糸通し穴の出口側に挿入されている糸を抜け出にくくして、針挿入穴から針を抜き出す間に、挿入されている糸が針穴から抜け出ないようにし」と訂正したことで、請求項１に係る発明は明確となり、特許法第３６条第４及び第６項違反は解消している。
　
【５】異議申立の主張
　異議申立人は、甲第１乃至３号証を提示して、訂正前の請求項１に係る発明は、特許法第２９条第２項の規定により特許を受けることができないものであるから、請求項１に係る発明は取り消すべきである旨を主張しているが、異議申立人が提示した甲第１乃至３号証のいずれにも、上記請求項１に係る発明と刊行物１、２に記載された発明の相違点に係る事項については、記載も示唆もされていないので、当該異議申立人の主張は採用できない。
　
【６】むすび
　以上のとおりであるから、特許異議申立ての理由及び当審で平成１５年９月１６日付けで通知した取消理由によっては請求項１に係る発明についての特許を取り消すことはできない。
　また、他に請求項１に係る発明についての特許を取り消すべき理由を発見しない。
　よって、結論のとおり決定する。
【異議決定日】
平成１６年３月９日（２００４．３．９）
【訂正の要旨】
審決（決定）の【理由】欄参照。
（５４）【発明の名称】
針糸通し器
（５７）【特許請求の範囲】
　【請求項１】　台座面を有する本体に有底の針挿入穴を持つ針挿入筒を立設し、この針挿入筒の下部には、挿入した針の針穴を連通する糸通し穴を前記針挿入穴と交差する方向に形成し、この糸通し穴の入口近傍に糸載置部を設けると共に、本体に設けた押圧部材の押圧力で本体内に設けた作動部材を介して作動部材に設けた糸係止片を前記糸通し穴に挿脱自在に設けた糸通し器において、前記針挿入筒の糸載置部側
には、
させ、かつ、開口端部側を広く形成した
設け
前記糸通し穴の針穴を通過した出口側を挿入した糸が挟まって抜け出にくいように糸通し穴の入口側より小さく形成する
断面円形状の
と
扁平形状部位
扁形状部位の長さ方向は断面円形状の針挿入穴の径であり、扁平形状部位の巾方向と
と
【発明の詳細な説明】
　【０００１】
　【発明の属する技術分野】
　本発明は、針の針穴に簡単に糸を通すことができる針糸通し器に関する。
　【０００２】
　【従来の技術】
　従来の針糸通し器のうち、異なる種類の針、例えば絹針と木綿針、に糸を通すことができるようになっているものは、本体に二本の針挿入筒を有し、各針挿入筒には径の異なる有底の針挿入穴と、針挿入穴に交差する糸通し穴とが設けられ、更に、本体内には糸通し穴に糸を掛け入れる薄くて細い板状の糸係止片が二つ設けられ、かつ、両方の糸係止片を糸通し穴に抜き差しさせる押圧部材が本体から操作部を突出させて設けられている。
　【０００３】
　そして、実開昭６１−３９０９１号公報に開示されている針糸通し器では、押圧部材と糸係止片との間にラックとピニオンを介在させることによって、押圧部材と糸係止片を連動させる構造を採用している。また、他の形式の針糸通し器では、スライド部材を左右に本体に沿ってスライドさせて糸係止片を左右に移動させる構造を採用している。
　【０００４】
　【発明が解決しようとする課題】
　しかし、ラックとピニオンを用いる構造では、部品点数が多くなってしまい高価になってしまう問題があった。また、スライド部材を本体に対して左右に移動させる構造では、スライド部材を横方向へ動かすと、本体が横に移動してしまい使い勝手が極めて悪かった。さらに、上述した形状の針糸通し器全般において、図１０に示すように、糸載置部８０が平坦であるため、糸載置部８０上で糸Ｂが撓んでしまって糸係止片が通過する位置に糸Ｂがセットされず、糸Ｂは糸係止片の先端に引っ掛からず糸係止片の先端部のみが針穴に挿入され、糸Ｂが針穴に挿入されない場合があり、糸通し器として操作性が極めて悪かった。
　【０００５】
　本発明は、上記の問題点を解決すべくなされたものであり、その目的とするところは、使い勝手が良く、確実に糸を針穴に通すことができ、構造が簡単で耐久性を有する針糸通し器を提供することにある。
　【０００６】
　【課題を解決するための手段】
　上記の目的を達成するため、請求項１に係る発明は、台座面を有する本体に有底の針挿入穴を持つ針挿入筒を立設し、この針挿入筒の下部には、挿入した針の針穴を連通する糸通し穴を前記針挿入穴と交差する方向に形成し、この糸通し穴の入口近傍に糸載置部を設けると共に、本体に設けた押圧部材の押圧力で本体内に設けた作動部材を介して作動部材に設けた糸係止片を前記糸通し穴に挿脱自在に設けた糸通し器において、前記針挿入筒の糸載置部側
には、
させ、かつ、開口端部側を広く形成した
設け
前記糸通し穴の針穴を通過した出口側を挿入した糸が挟まって抜け出にくいように糸通し穴の入口側より小さく形成する
断面円形状の
と
扁平形状部位
扁形状部位の長さ方向は断面円形状の針挿入穴の径であり、扁平形状部位の巾方向と
と
　【０００７】
　【０００８】
　【０００９】
　【発明の実施の形態】
　以下、図面を用いて本発明の針糸通し器の実施形態を説明する。図１及び図２には、本発明の針糸通し器の本体を分解した状態を示しており、これらの図に示した１は、本体を構成する一対の分割ハウジングのうちの一つである。
　【００１０】
　本体（分割ハウジング１，２）は、合成樹脂、例えばポリアセタール等の熱可塑性樹脂等、で成形され、外形を断面略逆Ｔ字状に形成して底部に略方形状の台座面１ａ，２ａを設け、作業机等の載置面上に置いた際に安定するようにしている。
　【００１１】
　また、針Ａをセットするための筒状の針挿入筒３を垂直方向に沿って両側に立設している。これらの針挿入筒３には、径の異なる有底の針挿入穴４，５、例えば、絹針用の細い径の針挿入穴４と木綿針用の太い径の針挿入穴５が開口部４ａ，５ａを上方に向けてそれぞれ設けられ、針挿入穴４，５に挿入した針Ａの針穴と連通するように針挿入穴４，５の底部近傍位置に糸通し穴６が針挿入穴４，５に交差し、かつ、後述する円弧状の薄板の糸通し部１４と同様に緩やかな円弧状に穿孔されている。
　【００１２】
　針挿入穴４，５は、針を挿入しやすいように開口部４ａ，５ａがテーパ状に形成され、かつ、針Ａの針穴部分が扁平状に形成されていることを利用して挿入した針Ａの針穴が糸通し穴６と連通するように底部分５ｂ，４ｂがテーパ部５ｃ，４ｃを経て扁平状に形成されている（図５及び図６参照）。
　【００１３】
　糸通し穴６は、糸Ｂの太さに応じて、糸Ｂが入りやすく且つ入った糸Ｂが抜け出にくいように、糸通し部１４が進入する入口よりも針穴を通過した糸通し部１４の先端が突出する出口の方が小さく形成されている。更に、両針挿入筒３の内側面には、分割面に沿って針挿入穴４，５の開口部から底部近傍の糸通し穴６まで、針挿入穴４，５に連通するスリット７が設けられている（図７参照）。
　【００１４】
　更に、本体の両側には、針挿入筒３の糸通し穴６の入口近傍で、後述する糸通し部１４が移動する軌跡上に、断面鉛角状の糸載置部８が設けられている（図９参照）。この糸載置部８は、本体の表面と針挿入筒３の外周面との間に設けられ、両者間を略Ｖ字状に切欠くようにして形成されている。
　【００１５】
　また、分割ハウジング１の内面には、図１及び図２に点線で示すように、押圧部材１０の突条部１０ａをガイドする一対のガイド片１ｂを突設し、押圧部材１０を台座面１ａに対して直交方向にスライドできるようにしている。更に、もう一方の分割ハウジング２の内面には、一対の当接片２ｂが適当間隔離間して設けられている（図８参照）。これらの当接片２ｂは、共に突出長さが同一で、前述したガイド片１ｂとで押圧部材１０を挾持して、押圧部材１０を本体の分割面に対して並行、即ち、載置面（台座面１ａ，２ａ）に対して垂直にスライドさせる機能を有している。
　【００１６】
　さらに、分割ハウジング１の内面の両側に突設した軸１ｃに、合成樹脂で成形した略長楕円形状の作動部材１１を回動自在に軸支し、各作動部材１１の表面から突設した突起１１ａにコイルスプリング１２の端部を係止し、両作動部材１１が内側に回動するように弾発付勢している。
　【００１７】
　各作動部材１１の自由端側には、糸Ｂを針穴に挿入させる糸係止片１３が設けられている。この糸係止片１３は、針穴の横幅よりも薄い金属板、例えばステンレス鋼板等、を鎌状に形成したもので、前述した糸通し穴６に挿入される先端部分の糸通し部１４は、針穴の縦幅よりも細く、糸通し部１４の回動軌跡に合わせて略円弧状に形成され、かつ、糸Ｂを先端部で係止しやすく且つ糸Ｂを傷つけないように先端面１４ａが円弧状に切り欠かれている（図５参照）。
　【００１８】
　押圧部材１０は、合成樹脂で成形され、作動部材１１を揺動させる作用部１０ｂと、作用部１０ｂの中央上端から一体に突設された首部１０ｃとから成り、作用部１０ｂは、両側面が逆ハ字状のテーパ面１０ｔとなるように逆台形平板状に形成され、かつ、作用部１０ｂの背面中央には突条部１０ａがスライド方向（垂直方向）に沿って突設されている。また、首部１０ｃは長方形の平板状に形成され、押圧しやすいように上端部１０ｄが厚く形成されている。そして、作用部１０ｂのテーパ面１０ｔに、内側に回動するように弾発付勢された両作動部材１３の円弧状の自由端部を、コイルスプリング１２の弾発力に抗して両作動部材１３を外側に押し開いて当接させ、かつ、作用部１０ｂの背面に突設した突条部１０ａを分割ハウジング１の内面に突設した一対のガイド片１ｂの間に摺動自在に嵌入して、本体内に内蔵している。
　【００１９】
　さらに、本体の上部右側内部には刃１５が設けられ、かつ、この刃１５の切断面に連通する略Ｌ字状の切欠部１６が形成されており、切欠部１６内に糸Ｂを通せば糸Ｂを切断することができる。
　【００２０】
　図３及び図４に示す針糸通し器は、二つの作動部材１１のうち何れか一方を揺動できるようにした実施形態で、上記実施形態の押圧部材を左右対称に二分した分割押圧部材２１，２２を個々にスライドできるようにしている。なお、図３及び図４には、図１及び図２と同様に本体を分解した状態を示しており、図に示す２０は、本体を構成する一対の分割ハウジングのうちの一つである。
　【００２１】
　この場合、分割押圧部材２１，２２毎に突条部２１ａ，２２ａをスライド方向（垂直方向）に沿って突設し、更に、各突条部２１ａ，２２ａを摺動自在に嵌入する一対のガイド片２３，２４を分割ハウジング２０の内面両側にそれぞれ突設している。なお、その他の構造は上述した実施形態と同じであるため、図１及び図２に符した符号を図３及び図４にも用いる。
　【００２２】
　以下、上述した針糸通し器の作用を説明する。針挿入筒３に設けた針挿入穴４，５に針穴を下にして針Ａを挿入すると、図５に示すように針穴が糸通し穴６に連通する。この時、図６に示すように、針穴の向きが糸通し穴６に対して直交する方向を向いている場合、針Ａの扁平状の針穴部分は、狭くなったテーパ部５ｃ（４ｃ）に接触して回転し、扁平状に形成した底部分５ｂ（４ｂ）に進入するので、針挿入時に、針穴の向きを気にする必要がない。なお、針挿入穴４，５の径に対して細い針を挿入した場合、例えば、木綿針用の針挿入穴に絹針を挿入した場合、針穴部分がテーパ部に接触せず、針穴と糸通し穴の向きが交差していても針挿入穴の底まで入ってしまうことがある。
　【００２３】
　針穴に通す糸Ｂを糸載置部８上にセットする（図５、図６参照）と、図９に示すように、糸載置部８を断面鉛角状に形成しているので、糸Ｂが確実に糸載置部８に接して糸通し部１４の先端が通る軌跡に対して直交する。
　【００２４】
　図２に示すように、本体の上部から突出した押圧部材１０の上端部１０ｄを押し下げると、テーパ面１０ｔに当接した両作動部材がテーパ面１０ｔに沿って摺動し、コイルスプリング１２の弾性力に抗して外側に揺動し、作動部材の自由端に設けた糸係止片１３の糸通し部１４が、まず、図５に示すように本体から突出し、糸載置部８上にセットされた糸Ｂを糸通し部１４の先端面１４ａが糸通し穴６内に引込み、針穴に糸Ｂを通し、針穴を通過した糸通し部１４の先端部と糸が糸通し穴６の出口より突出し、押圧部材１０が最下位置まで下がると共に、作動部材１１が揺動を停止する。
　【００２５】
　次に、押し下げた押圧部材１０から指を離すと、コイルスプリング１２によって弾発付勢された作動部材１１が内側に揺動復帰して、押圧部材１０を上方に押し上げ、図１に示す状態に戻る。しかし、この時、糸通し穴６の出口より突出した糸は出口で挟まれているためその場に残り、糸通し部１４のみが糸通し穴６より抜け出し本体内に戻る。
　【００２６】
　針を針挿入穴４，５から抜くと、糸通し穴６の出口に針穴を通過した糸が挟まっているため、針穴を通過していない糸が、針の上昇に伴って針穴に引き込まれながら、針挿入筒３のスリット７に沿って上方に移動するので、針穴を通過する糸の長さが針を持ち上げるにしたがって長くなり、針を針挿入穴４，５から抜き出す前に針穴を通過した糸が針穴から抜け落ちることはない。
　【００２７】
　糸通し穴６の出口に糸が挟まっている時間は、針挿入穴４，５から針を抜き出す間に、針穴から糸が抜け落ちてしまわないように、糸をある程度の長さ針穴に通すことができればよく、針を抜き出すまで糸が挟まっている必要はない。
　【００２８】
　上記針糸通し器は、押圧部材１０を押し下げると作動部材１１が両方揺動するので、各針挿入穴４，５に所定の針をそれぞれ挿入すれば、二本の異種の針の針穴に同時に異種の糸をそれぞれ通すことができる。
　【００２９】
　なお、上述した針糸通し器は、針挿入筒３に形成する針挿入穴４，５の径を異径にしているが同径であってもよい。この場合は、同種の二本の針の針穴に同時に糸を通すことができる。
　【００３０】
　また、図３及び図４に示すように、押圧部材を２分した場合は、二つの分割押圧部材２１，２２を一緒に押し下げれば、上述した針糸通し器のように二本の針の針穴に同時に糸を通すことができる。そして、一本の針の針穴に糸を通す場合は、針を挿入した側の分割押圧部材２１若しくは２２のみを押し下げれば糸を通すことができるので、動かす必要のない側の作動部材１１を動かさずに済んで、作動部材１１，１１や押圧部材２１，２２等の摺動個所の磨耗を軽減できると共に、コイルスプリング１２の寿命も延ばすことができる。
　【００３１】
　なお、この場合の針糸通し器も、針挿入筒３に形成する針挿入穴４，５の径を異径にしているが同径であってもよい。この場合は、一方側に不具合が生じても、他方側を使って所定の針の針穴に所定の糸を通すことができる。
　【００３２】
　以上のことから明らかなように、請求項１に係る発明によると、机等の載置面上に安定して置くことができ、かつ、載置面に対して押圧部材の押圧操作時の安定性に優れている。また、糸通し部によって針穴を通過した糸が糸通し穴の部位にある状態で、針を針挿入穴の上端より引き抜くと、針穴に挿入している糸が糸通し穴の入口からスリットを介して針挿入穴の開口上端まで通り抜けるように通過し、糸は針穴に挿通した状態のまま針を針挿入筒の上端開口部から抜き出すことができるため、従来製品のように、針抜き出し時に生ずる針穴から糸がみだりに抜け落ちることがない。
　【００３３】
　また、針挿入穴に針を挿入すると、針の扁平状の針穴部分は、断面円形状の針挿入穴を落下して、途中に位置している狭くなっているテーパ部に接触案内されながら回転して、扁平状に形成した底部分に進入するので、針挿入時に針穴の向きを気にする必要がなく、常に針穴と糸通し穴とが対向する位置に円滑にセットされるため、確実に糸を針穴に通すことができ、従来製品に生じていたトラブルを一挙に解消することができる。更に、糸を糸載置部に載せるだけで自然に糸が正位置にセットされるので、糸が糸係止片に引っ掛からない状態、即ち空振りの状態で、糸係止片のみが針穴を通過するということがなくなり、確実に糸を針穴に通すことができる。また、部品点数が少ないため、製品を安価に提供することができる。
　
更には、糸通し穴の針穴を通過した出口側を挿入した糸が挟まって抜け出にくいように糸通し穴の入口側より小さく形成したから、針穴を通過した糸は、出口側に挟まれている状態であり、この状態で針を針挿入穴から抜くと、スリット側の糸が開口端部側を広くしたスリットから順次繰り出されて確実にかつ円滑に引き出され、次いで、出口側にやや挟まっている糸が引き出されるので、糸がみだりに針穴から抜け落ちることがないため、針糸通し器の押圧部材の押圧力と糸を通した針の引き出し操作のみで、糸が針穴から抜け落ちるおそれがなく確実に糸を針穴に通すことが可能となる針糸通し器を提供することができる顕著な効果を奏する。
　【００３４】
【図面の簡単な説明】
　【図１】本発明の針糸通し器の一実施形態の内部状態を示す分解正面図である。
　【図２】図１に示す針糸通し器を作動させた時の内部状態を示す分解正面図である。
　【図３】本発明の針糸通し器の一実施形態の内部状態を示す分解正面図である。
　【図４】図３に示す針糸通し器を作動させた時の内部状態を示す分解正面図である。
　【図５】上記針糸通し器の使用状態を示す部分拡大分解正面図である。
　【図６】上記針糸通し器の使用状態を示す部分拡大分解正面図である。
　【図７】上記針糸通し器の針挿入筒の断面図である。
　【図８】上記針糸通し器の正面中央縦断面図である。
　【図９】上記針糸通し器の糸載置部の端面図である。
　【図１０】従来の針糸通し器の糸載置部の端面図である。
　【符号の説明】
　１，２，２０　分割ハウジング（本体）
　３　針挿入筒
　４，５　針挿入穴
　６　糸通し穴
　８　糸載置部
　１０，２１，２２　押圧部材
　１１　作動部材
　１２　コイルスプリング
　１３　糸係止片